(57)【要約】【課題】摺動動作時の消費電力を低減すると共に、磨耗粉の発生によるヘッド故障すなわち磁気ディスク装置故障を防止することができ、前記故障に起因するデータ喪失等を回避することができるランプ部材ならびに記憶装置を提供すること。【解決手段】記憶媒体に対してアクセスを行うヘッドを備えたヘッドスライダを係留する係留部と、前記ヘッドスライダを前記係留部にて係留する際、もしくは前記記憶媒体へ向けて移動する際に前記ヘッドスライダを支持するヘッドサスペンションの所定の部位と摺動動作を行う摺動部とを有したランプ機構の摺動部に、前記摺動動作に伴って生じた磨耗粉を蓄積する蓄積手段と前記磨耗粉の落下を防止する落下防止手段とを備える。【選択図】図２
2008084436.tif 000002
【特許請求の範囲】
【請求項１】
記憶媒体に対してアクセスを行うヘッドを備えたヘッドスライダを前記記憶媒体上外の所定の位置に保持するランプ機構であって、
前記ヘッドスライダを係留する係留部と、
前記ヘッドスライダを前記係留部にて係留する際、もしくは前記記憶媒体へ向けて移動する際に前記ヘッドスライダを支持するヘッドサスペンションの所定の部位と摺動動作を行う摺動部とを有し、
前記摺動部は、前記摺動動作に伴って生じた磨耗粉を蓄積する前記摺動部の長手方向に沿って設けられた複数の溝からなる第一の溝部と、
前記磨耗粉の落下を防止する前記摺動部の短手方向に沿って設けられた第二の溝部とを備えたことを特徴とするランプ機構。
【請求項２】
前記第一の溝部は前記ヘッドサスペンションの摺動方向と略平行に設けられていることを特徴とする請求項１に記載のランプ機構。
【請求項３】
前記壁部より前記溝の短手方向の中心に向けて所定の距離延設された飛散防止部を備えていることを特徴とする請求項１〜２に記載のランプ機構。
【請求項４】
データを記憶する記憶媒体を有する記憶装置において、
前記記憶媒体に対してアクセスを行うヘッドを備えたヘッドスライダと、
前記ヘッドスライダを支持するサスペンションと、
前記サスペンションと結合され前記ヘッドスライダを所定の位置に移動させるアクチュエータと、
前記ヘッドスライダを前記記憶媒体上外の所定の位置に保持するランプ機構とを有し、
前記ランプ機構は、前記ヘッドスライダを係留する係留部と、
前記ヘッドスライダを前記係留部にて係留する際、もしくは前記記憶媒体へ向けて移動する際に前記ヘッドスライダを支持するヘッドサスペンションの所定の部位と摺動動作を行う摺動部とを有し、
前記摺動部は、前記摺動動作に伴って生じた磨耗粉を蓄積する前記摺動部の長手方向に沿って設けられた複数の溝からなる第一の溝部と、前記磨耗粉の落下を防止する前記摺動部の短手方向に沿って設けられた第二の溝部とを備えたことを特徴とする記憶装置。
【請求項５】
前記第一の溝部は前記ヘッドサスペンションの摺動方向と略平行に設けられていることを特徴とする請求項４に記載の記憶装置。
【請求項６】
前記壁部より前記溝の短手方向の中心に向けて所定の距離延設された飛散防止部を備えていることを特徴とする付記４〜５に記載の記憶装置。
【発明の詳細な説明】
【技術分野】
【０００１】
本発明は、記憶装置ならびにランプ機構に関し、特にロードアンロード方式を採用した磁気ディスク装置に関する。
【背景技術】
【０００２】
近年、磁気ディスク装置においては、記憶容量の大容量化への要望が非常に高くなってきている。
【０００３】
そのため、データを格納する記憶媒体と記憶媒体に対してデータの読み書きを行うヘッドスライダとの距離を低減することで大容量化を実現するために、装置未使用時には、従来記憶媒体上に退避させていたヘッドスライダを、記憶媒体外の所定の退避位置に退避させるロードアンロード方式を採用した磁気ディスク装置が増加している。
【０００４】
また、近年磁気ディスク装置においては、前述の記憶容量の大容量化に加えて小型化も顕著であり、その結果、従来から磁気ディスク装置が用いられてきた室内に固定的に設置されて用いられる情報処理機器等だけではなく、ノート型パソコン、携帯端末など様々な携帯機器にも磁気ディスク装置が用いられるようになってきている。
【０００５】
この様な携帯機器においては、振動や落下時の衝撃等に対して十分な耐衝撃性を確保する観点からも、ヘッドを記憶媒体上から退避させることが望ましくロードアンロード方式が用いられることが多々ある。
【０００６】
しかしながらロードアンロード方式では、ロード時ならびにアンロード時に磨耗粉が発生し、その磨耗粉がロード時に記憶媒体上に落下してディスク上を移動するヘッドスライダに付着すると、当初の設計寿命に反して早期のヘッド故障すなわち磁気ディスク装置故障を誘発することとなる。
【０００７】
さらには、ヘッドが故障するとデータが記憶されている記憶媒体に対するアクセスが不可能となるためにデータを喪失することとなり、その磁気ディスク装置が用いられるシステムの運用等に多大な影響を与える恐れもある。
そのため、磨耗粉による磁気ディスク装置故障を防ぐべく様々な技術が開示されている。
【特許文献１】特開２００３−１４１８４１(公知例１)
【特許文献２】特願２００３−５６８６５７(公知例２)
【発明の開示】
【発明が解決しようとする課題】
【０００８】
公知例１に開示された発明によれば、ランプ走行面の断面形状を連続的に変化させることで、ヘッドタブのランプ接触点が長手方向に均等に分散されるため、ヘッドタブの偏磨耗が生じずに摺動抵抗の上昇をおさえることが可能となる。しかし、磨耗粉は依然生じており、さらに記憶媒体上に落下することを十分に防ぐことは難しいため磁気ディスク装置故障を誘発する恐れがある。
【０００９】
また、公知例２に開示された発明によれば、ヘッドサスペンション上の、摺動部と接触する位置を変動させることで、磨耗粉の蓄積がヘッドサスペンションで偏ることを防止することができ、その結果、ヘッドサスペンション上に磨耗粉の蓄積がその長手方向に分散され、磨耗粉は凝集せずに落下しにくくなる。また、摺動部の凹部に磨耗粉が落下することにより記憶媒体上へ落ちにくくなる。
【００１０】
しかし、ヘッドサスペンションの摺動方向に対して略垂直に凸部が設けられた場合、凸部が障壁となるため抵抗力を増大する要因になってしまい、その結果磁気ディスク装置の消費電力を増加させることとなる。すなわち摺動動作において、凸部との衝突や凸部を乗り越える際などに抵抗力が生じ、それを克服するために余計な電力が必要となるために消費電力が増大することとなる。
【００１１】
この消費電力の増大は、特にノート型パソコンや携帯端末といった、バッテリー等の内蔵電源で動作する携帯機器において非常に重要な問題となってくる。
【００１２】
また、ノート型パソコンなどにおいては、パソコン使用時(動作時)と鞄等に収納されて持ち運ばれる時とではパソコンの向きが異なることが多々ある。それに伴って磁気ディスク装置の向きにも当然変化が生じる。また、場合によっては使用しながら持ち運ばれることも考えられる。
【００１３】
そのため、この様な向きの変化が生じた場合や外部からの振動・衝撃など外的要因によって、一度溝部に落下した磨耗粉が、筐体内に飛散してしまうことも懸念される。そのため、飛散した磨耗粉が記憶媒体上に落下してしまうと、当初の設計寿命に反して早期のヘッド故障すなわち磁気ディスク装置故障となり、そのためデータ喪失などその磁気ディスク装置が使用されるシステムの運用にも多大な影響を及ぼす恐れがある。
【００１４】
そこで本発明は、上述した種々の問題を解決することを目的としている。すなわち摺動動作に伴う抵抗を低減することで磁気ディスク装置の消費電力を低減することを目的としている。
【００１５】
さらに、磨耗粉の発生を低減すると共に外的要因等により磨耗粉が筐体内に飛散することを防ぐことで、当初の設計寿命に反して早期のヘッド故障すなわち磁気ディスク装置故障を防止することも目的としており、それに伴うデータ喪失等のシステムの運用への影響を防止することも目的としている。
【課題を解決するための手段】
【００１６】
上記の本発明の課題は、記憶媒体に対してアクセスを行うヘッドを備えたヘッドスライダを係留する係留部と、前記ヘッドスライダを前記係留部にて係留する際、もしくは前記記憶媒体へ向けて移動する際に前記ヘッドスライダを支持するヘッドサスペンションの所定の部位と摺動動作を行う摺動部とを有したランプ機構の摺動部に、前記摺動動作に伴って生じた磨耗粉を蓄積する前記摺動部の長手方向に沿って設けられた複数の溝からなる第一の溝部と、前記磨耗粉の落下を防止する、前記摺動部の短手方向に沿って第二の溝部とを備えることで解決できる。
【００１７】
また、前記第一の溝部を前記ヘッドサスペンションの摺動方向と略平行に設けることで、より効果的に解決することができる。
【００１８】
さらに、前記第一の溝部に前記壁部より前記第一の溝部の短手方向の中心に向けて所定の距離延設された飛散防止部を備えることでも解決することができる。
【発明の効果】
【００１９】
本発明によれば、ヘッドサスペンションの摺動方向に対して略垂直に凸部が設けられることが無いために摺動動作に伴う摺動面からの抵抗を低減することができ、そのため磁気ディスク装置の消費電力を低減することが可能となる効果を奏する。
【００２０】
さらに、摺動時の抵抗や摺動時の接触面積を低減することで磨耗粉の発生を低減すると共に飛散防止手段を設けることで装置の使用状況や外的要因等により磨耗粉が筐体内に飛散することを防ぐことができ、磨耗粉による当初の設計寿命に反した早期のヘッド故障すなわち磁気ディスク装置故障を防止することができ、その結果データ喪失等によるその磁気ディスク装置が用いられるシステムの運用への影響をなくすことが可能となる効果を奏する。
【発明を実施するための最良の形態】
【００２１】
本発明の第一の実施例に係る、磁気ディスク装置について図面を用いて以下に説明する。
図１は、磁気ディスク装置の概略図である。磁気ディスク装置は略直方体形状をした筐体内に各種構成部材が収納されており、筐体１００には蓋(図示せず)が結合されることによって筐体内は密閉され塵埃から守られている。
【００２２】
１０１はデータが記憶される記憶媒体であり、スピンドルモータ１０２によって回転動作される。１０３はアクチュエータ機構であり、垂直方向に伸びる支軸に結合され、支軸を中心にボイスコイルモータ１０４によって回動動作を行う。
【００２３】
アクチュエータ機構１０３はその先端部にてヘッドサスペンション機構１０５と連結され、ヘッドサスペンション機構１０５の先端部近傍に磁気ヘッドスライダ１０６がピボット支持されている。ヘッドサスペンション機構１０５は磁気ヘッドスライダ１０６を支持することに加え、磁気ヘッドスライダ１０６を記憶媒体に向かって押しつける所定の力も発生させる。
【００２４】
さらに、ヘッドサスペンション機構１０５の先端には、先端から前方に延びるロードタブ１０７が備えられており、磁気ディスク装置の周縁部に配置されたランプ機構１０８に磁気ヘッドスライダ１０６を係留する際に用いられる。
【００２５】
ランプ機構１０８は、筐体１００に例えばネジを用いて取り付けられており、ロードタブ１０７を介して磁気ヘッドスライダ１０６を所定の位置に係留する係留部１０９、記憶媒体上から係留部１０９に向けて磁気ヘッドスライダを退避させる際にロードタブ１０７と摺動動作を行う摺動部１１０とから構成されている。ランプ機構１０８は磁気ディスク装置中の磁気ヘッドスライダ１０６の個数に応じて、複数の係留部１０９ならびに摺動部１１０を備えてもよい。ランプ機構１０８は、例えば硬質プラスチック材料や樹脂材料などから金型等を用いて成型加工することによって作成することができる。
【００２６】
これらランプ機構１０８とロードタブ１０７によってロードアンロード機構は構成されており、以下に磁気ディスク装置の動作に基づきロードアンロード動作の概略を説明する。
【００２７】
磁気ディスク装置１００に電源が投入されるとスピンドルモータ１０２の作用により記憶媒体１０１が回転すると、回転に伴い記憶媒体１０１の表面には気流が生成される。
【００２８】
その後アクチュエータ機構１０３がボイスコイルモータ１０４の働きで支軸回りに回動動作をすると、ロードタブ１０７はランプ機構１０８上の係留部１０９から移動を開始し、摺動部１１０において摺動動作を行う。その結果、ロードタブ１０７を介してランプ機構に１０８に係留されていた磁気ヘッドスライダ１０６は、記憶媒体１０１上にロードされる(ロード動作)。
【００２９】
ロードされると、上述の気流の働きによって磁気ヘッドスライダ１０６には正圧すなわち浮力および負圧が作用する。浮力および負圧とヘッドサスペンション機構１０５の押し付け力とが釣り合うことで記憶媒体１０１の回転中に比較的に高い剛性で磁気ヘッドスライダ１０６は浮上することができる。
【００３０】
その後さらにアクチュエータ機構１０３が回動動作を行うことによって、磁気ヘッドスライダ１０６の記憶媒体１０１上を回動動作し、磁気ヘッドスライダに備えられたヘッド素子部(図示せず)は所定の位置に位置決めをされ、データの読み込み/書き込み処理が行われる。
【００３１】
一方、ヘッド素子部による所定の読み込み/書き込み処理が完了した場合や磁気ディスク装置の動作が終了する場合など所定の条件に基づいて、磁気ヘッドスライダ１０６は記憶媒体１０１上からランプ機構１０８へ向けてアンロード動作(退避動作)を行う。
【００３２】
すなわち、アクチュエータ機構１０３の回動動作により記憶媒体１０１から磁気ヘッドスライダ１０６が退避すると、ヘッドサスペンション機構１０５の先端に設けられたロードタブ１０７がランプ機構１０８の摺動部１１０と接触し、摺動動作を続けながら係留部１０９に向けて移動を行う。
【００３３】
そして、係留部１０９の所定の位置に到達するとアクチュエータ機構１０３の動作が停止し、磁気ヘッドスライダ１０６は所定の位置に再び係留されることとなる。このようにアンロード動作は上述のロード動作と概略逆の流れに基づいて行われる。
【００３４】
本発明の第一の実施例に係るランプ機構について図２に基づいて説明を行う。図２(a)にはランプ機構の全体図が記載され、図２(b)には摺動部の拡大図が記載されている。
【００３５】
摺動部２０１は略台形形状を有しており、導入部２０５、平行移動部２０６、導出部２０７とに分けることができる。
【００３６】
導入部２０５はアンロード動作時において、ロードタブ１０７が最初に接触する部位であり、その表面には磨耗粉を蓄積するための摺動部の長手方向に沿った複数本の溝２０８からなる第一の溝部が形成されている。
【００３７】
また、導入部２０５の端部から所定の距離はなれた位置に、上記の第一の溝部２０８の各終端をつなぐように摺動部の短手方向に長辺を有する略長方形に区画された第二の溝部２０９が設けられており、磨耗粉が記憶媒体１０１上に落下するのを防止している。なお、第二の溝部２０９の深さは第一の溝部２０８とほぼ等しい深さになっている。
【００３８】
平行移動部２０６は、記憶媒体１０１上でのヘッドサスペンション機構１０５の回転軌道面よりも高く形成されており所定の弾性を持ってロードタブ１０７と当接するようになっており、その表面には導入部２０５の第一の溝部から引き続き溝部が区画されている。そのため、導入部２０５と同様にロードタブ１０７が第一の溝部２０８を区画する壁部２１０と摺動する際に発生する磨耗粉は、導入部２０５で生じた磨耗粉と同様に第一の溝部２０８内に落下し蓄積されるようになっている。
【００３９】
導出部２０７は、ロードタブ１０７を平行移動部２０６から係留部１０９へと導く所定の傾斜を持った部位である。本領域にも平行移動部から連なる第一の溝部を設けてもいいが、ここで生じる磨耗粉はロード時に平行移動部２０６等に設けられた第一の溝部２０８に落下することが期待されるため特に設けなくてもよい。
【００４０】
係留部２０２は、ヘッドサスペンション機構１０５の回動面とほぼ等しい高さに構成されている平坦な面であり、係留される磁気ヘッドスライダ１０６等に対して負荷がかからないようになっている。
【００４１】
また、係留部２０２上には、外部からの衝撃等が加わってもロードタブ１０７が係留部から移動しないように第一のガイド部２０３が設けられている。
【００４２】
さらに、複数の磁気ヘッドスライダ１０６が係留されている場合でも各磁気ヘッドスライダ１０６やヘッドサスペンション機構１０５等が互いに衝突することを防止できるように第二のガイド部２０４が設けられている。
【００４３】
ここで、アンロード時ならびにロード時のロードタブ１０７と摺動部との動作について図３に示す摺動部の上面図を用いて詳述する。
【００４４】
本実施例で用いられるランプ機構はサスペンションの回動軸３００側に内弧を有する湾曲した形状をしており、摺動部にはランプ機構の円弧に沿うように、言い換えればロードタブ１０７の摺動方向と略平行に第一の溝部が形成されている。
【００４５】
記憶媒体１０１上から退避してきたロードタブ１０７は、軌道３０１に沿って円弧を描きながら摺動部３０２上を移動し、その際に所定の傾斜角を有している導入部２０５(３０５側端から直線３０７まで)において第二の溝部３０４よりも上方側で接触する。その後、導入部２０５の斜面を登る過程において磨耗粉が発生する。
【００４６】
またその後の平行移動部２０６(直線３０７から直線３０８まで)での摺動動作時にも所定の弾性を持って当接されながら摺動動作をおこなうために磨耗粉が発生する。
【００４７】
ここで、本実施例によれば、第一の溝部３０３を区画する壁部２１０との摺動動作によって生じた磨耗粉は、摺動部３０２の長手方向、すなわちロードタブ１０７の回動軌道３０１に沿った方向に設けられた第一の溝部３０３に落下することとなる。
【００４８】
以上の摺動動作を経てロードタブ１０７は導出部２０７を通過後係留部２０３に到達し、磁気ヘッドスライダ１０６は所定の位置に係留されることとなる。
【００４９】
一方ロード動作が開始されると、ロードタブ１０７は、アンロード動作と逆の経路を経て記憶媒体１０１上にロードされる。すなわち、第一の溝部３０３と略平行な回動軌道３０１を３０６側から３０５側へ向けて移動し記憶媒体１０１上にロードされる。
【００５０】
すなわち摺動部３０２にロードタプ１０７の摺動動作時の回動軌道３０１と略平行となるように第一の溝部３０３を形成することによって摺動動作時に、第一の溝部３０３を区画する壁部２１０がロードタブ１０７の動作を妨げるような凸部として存在することがなくなる。
【００５１】
なお、本実施例においては最も好適な例として、ロードタブ１０７の軌道３０１にあわせた湾曲形状のランプ機構にその湾曲に沿った溝部を用いて説明を行ったが、この形状に限定されることはなく、軌道３０１として示したロードタブ１０７の摺動軌道に略平行な溝部が摺動部３０２上に形成されていればよい。
【００５２】
また、ロードタブ１０７の摺動方向に長手方向を持つ略長方形をしたランプ機構にその長手方向と平行な溝部を備えたランプ機構の場合の場合であっても、ロードタブの軌道３０１と溝部２１０とが交差する可能性はあるものの、ロードタブ１０７に対して略垂直となる壁部としては存在しないために本発明を適用することは十分に可能である。
【００５３】
ここで、本実施例で用いられる摺動部３０２に形成される第一の溝部２０８の断面形状については、図4(a)に示すような長方形で区画された形状をしていればよく、幅４０１は0.2mm程度、深さ４０２は0.5mm程度あればよい。溝の数や溝間隔については、それぞれのランプ形状やロードタブの形状に基づいて好適に設定すればよい。
【００５４】
さらに、第一の溝部２０８を区画する壁部２１０の断面形状を図4(b)に示した尖端構造４０３とすることにより、ロードダブ１０７との摺動面積を低減することが可能となるので、より磨耗粉の発生を抑えることが可能である。
【００５５】
さらに、このように尖端構造４０３とすることで頂面が平坦ではなくなり、かつ溝部に向けて傾斜を有することになり、摺動動作によって生じた磨耗粉は壁部の頂面に滞留せずに溝部４０４に落下するようになるので、より容易に溝部４０４内に蓄積させることが可能となる。
【００５６】
また、第一の溝部２０８を区画する壁部２１０の頂面の断面形状を図4(c)に示したような半円構造４０５とした場合にも、上述の尖端構造４０３と同様にロードダブ１０７との摺動面積を低減することができ、かつ発生した磨耗粉も容易に溝部４０６に蓄積することが可能であるため、前述と尖端構造４０３とした場合と同様の効果を奏する。
【００５７】
したがって、本発明の第一の実施例によれば、摺動部３０２上でのロードタプ１０７の摺動動作を示す回動軌道３０１に沿うように第一の溝部３０３を形成することによって、摺動動作時にロードタブ１０７の動作を妨げるような凸部が存在しなくなり、ロードアンロード動作時の摺動動作時にロードタブ１０７と摺動部３０２との間で不要な抵抗の発生を抑制することができる。したがって、磁気ディスク装置の消費電力を低減することが可能である。
【００５８】
また、ロードタブ１０７の回動軌道３０１に沿うように第一の溝部２０８を摺動部に形成することによって、摺動動作時の接地面積ならびに抵抗が減少するため磨耗粉の発生自体を低減することも可能である。
【００５９】
さらに摺動動作時に生じた磨耗粉が生じても第一の溝部２０８に蓄積され、また、前記第一の溝部２０８に落下せずに記憶媒体１０１方向に落下しようとする磨耗粉があったとしても、第一の溝部の終端に設けられた第二の溝部２０９に落下するために記憶媒体１０１上への落下が防止される。
【００６０】
したがって、磨耗粉に起因したヘッド故障すなわち磁気ディスク装置故障を低減することが可能となり、データ喪失等のその磁気ディスク装置が使用されるシステムへの影響も低減することが可能となる。
【００６１】
図５には第二の実施例に係る摺動部３０２に形成される第一の溝部２０８の断面形状が示されている。
【００６２】
本第二の実施例では、溝部５０１を区画する壁部５０２の頂面から溝部５０１を区画する対向する壁部５０２を結ぶ方向(溝部の短手方向)の中心に向けて所定の長さだけ溝部５０１上に延設された飛散防止部５０３を溝部５０１の長手方向に沿って設けている。
【００６３】
すなわち飛散防止部５０３は、溝部５０１全体をカバーすることはせずに、対向する壁部５０２から伸びる飛散防止部５０３との間は所定の距離だけ離間されており、溝部５０１上に開口部５０４が存在するように延設されている。したがって、ロードタブ１０７に付着した磨耗粉は溝部５０１内に落下することができる。
【００６４】
例えば、溝部の幅を0.2mm程度とした場合では、飛散防止部は0.05mm程度とすることで、溝部５０１上には中心付近に0.1mm程度の開口部５０４が構成されることになり、そこから磨耗粉は溝部５０４に落下することが可能となっている。
【００６５】
したがって一度落下した磨耗粉は、例えば磁気ディスク装置の設置状態が９０度変化した場合でも飛散防止部５０３が溝部から筐体内に磨耗粉が飛散するのを防止する壁部となって作用するために、磨耗粉が筐体内に飛散することを防ぐことが可能となる。
【００６６】
また、飛散防止部の形状としては、図5(b)に示すように、先細構造とした飛散防止部５０６を溝部５０７を区画する壁部５０５より溝部５０７の短手方向の中心部に向けて設けてもよい。
【００６７】
このような先細構造の飛散防止部５０６とすることで、図5(a)の場合と比較してロードタブ１０７との摺動面積を減少することができるので磨耗粉の発生を低減することが可能である。さらに、溝部５０７に向けて傾斜を有するため、磨耗粉は飛散防止部５０６上から溝部５０７内に容易に落下することがきるため、溝部５０７上の開口部５０８を狭めることが可能となり、より効果的に磨耗粉の飛散を防止することが可能となる。
【００６８】
さらに、飛散防止部の形状を、図５(c)のように隣り合った壁部(５１０、５１１)に設けられた、溝部５１５上に延設された対向する飛散防止部(５１２、５１３)の最大幅となる部分を上下方向(高さ方向)５０９にずらして配置することにより、飛散防止部(５１２、５１３)の双方もしくは一方を溝部５１５の短手方向の中心を超えて反対側まで延設することが可能となる。すなわち、磨耗粉を溝部５１５に落下させるための開口部５１４を有しつつも溝部５１５の底面を飛散防止部(５１２、５１３)によって完全に遮蔽形状となっている。
【００６９】
したがって、発生した磨耗粉は、飛散防止部(５１２、５１３)の溝部５１５に向けられた傾斜上を滑って開口部５１４より溝部５１５内に容易に落下して蓄積される一方で、仮に磁気ディスク装置の設置状態が１８０度変化したとしても、確実に磨耗粉の飛散を防止することが可能となる。
【００７０】
また、第一の溝部２０８の終端に設けられている落下防止用溝部２０９上に飛散防止部を設けることも可能であり、この場合は、上記の飛散防止部を落下防止用溝部の長手方向に沿って設ければよい。このように必要に応じて適宜各溝部上に飛散防止部を用いることで磨耗粉の飛散を効果的に防止することができる。
【００７１】
したがって、本発明の第二の実施例によれば、一度溝部に落ち込んだ磨耗粉が装置の使用状況や振動等の外的要因などにより溝部から筐体内に飛散しようとしても、飛散防止部と接触することによって溝部より飛散する事が防止されるために、磨耗粉が記憶媒体上に落下してしまい、当初の設計寿命に反して早期のヘッド故障すなわち磁気ディスク装置故障を防止することができ、その結果データ喪失等によるその磁気ディスク装置が用いられるシステムの運用への影響をなくすことが可能となる効果を奏する。
【００７２】
このことは特に、使用状況に応じて磁気ディスク装置の向きが変化しやすく、また振動・衝撃等の影響を受けやすい携帯機器等に用いられる磁気ディスク装置において好適である。
(付記１)
記憶媒体に対してアクセスを行うヘッドを備えたヘッドスライダを前記記憶媒体上外の所定の位置に保持するランプ機構であって、
前記ヘッドスライダを係留する係留部と、
前記ヘッドスライダを前記係留部にて係留する際、もしくは前記記憶媒体へ向けて移動する際に前記ヘッドスライダを支持するヘッドサスペンションの所定の部位と摺動動作を行う摺動部とを有し、
前記摺動部は、前記摺動動作に伴って生じた磨耗粉を蓄積する前記摺動部の長手方向に沿って設けられた複数の溝からなる第一の溝部と、前記磨耗粉の落下を防止する前記摺動部の短手方向に沿って設けられた第二の溝部とを備えたことを特徴とするランプ機構。
(付記２)
前記第一の溝部は前記ヘッドサスペンションの摺動方向と略平行に設けられていることを特徴とする付記１に記載のランプ機構。
【００７３】
(付記３)
前記壁部より前記溝の短手方向の中心に向けて所定の距離延設された飛散防止部を備えていることを特徴とする付記１〜２に記載のランプ機構。
(付記４)
前記溝上に延設された対向する前記飛散防止部の最大幅となる箇所が異なる高さに位置することを特徴とする付記３に記載のランプ機構。
(付記５)
データを記憶する記憶媒体を有する記憶装置において、
前記記憶媒体に対してアクセスを行うヘッドを備えたヘッドスライダと、
前記ヘッドスライダを支持するサスペンションと、
前記サスペンションと結合され前記ヘッドスライダを所定の位置に移動させるアクチュエータと、
前記ヘッドスライダを前記記憶媒体上外の所定の位置に保持するランプ機構とを有し、
前記ランプ機構は、前記ヘッドスライダを係留する係留部と、
前記ヘッドスライダを前記係留部にて係留する際、もしくは前記記憶媒体へ向けて移動する際に前記ヘッドスライダを支持するヘッドサスペンションの所定の部位と摺動動作を行う摺動部とを有し、
前記摺動部は、前記摺動動作に伴って生じた磨耗粉を蓄積する前記摺動部の長手方向に沿って設けられた複数の溝からなる第一の溝部と、前記磨耗粉の落下を防止する前記摺動部の短手方向に沿って設けられた第二の溝部とを備えたことを特徴とする記憶装置。
(付記６)
前記第一の溝部は前記ヘッドサスペンションの摺動方向と略平行に設けられていることを特徴とする付記５に記載の記憶装置。
(付記７)
前記壁部より前記溝の短手方向の中心に向けて所定の距離延設された飛散防止部を備えていることを特徴とする付記５〜６に記載の記憶装置。
(付記８)
前記溝上に延設された対向する前記飛散防止部の最大幅となる箇所が異なる高さに位置することを特徴とする付記７に記載の記憶装置
【図面の簡単な説明】
【００７４】
【図１】磁気ディスク装置の概略図である
【図２】ランプ部材の全体図および摺動部の拡大図である
【図３】摺動部上でのロードタブ動作図である
【図４】第一の実施例における摺動部の断面図である
【図５】第二の実施例における摺動部の断面図である
【符号の説明】
【００７５】
１００  筐体
１０１  記憶媒体
１０２  スピンドルモータ
１０３  アクチュエータ機構
１０４  ボイスコイルモータ
１０５  ヘッドサスペンション機構
１０６  磁気ヘッドスライダ
１０７  ロードタブ
１０８  ランプ部材
１０９  係留部
１１０  摺動部
２０１  摺動部
２０２  係留部
２０３  第一のガイド部
２０４  第二のガイド部
２０５  導入部
２０６  平行移動部
２０７  導出部
２０８  第一の溝部
２０９  第二の溝部
２１０  第一の溝部を区画する壁部
３０１  ロードタブの軌道
３０２  摺動面
３０３  溝部
３０４  落下防止用溝部
３０５  記憶媒体方向
３０６  係留部方向
３０７  導入部と平行移動部との境界
３０８  平行移動部と導出部との境界
４０１  溝部の幅
４０２  溝部の高さ
４０３  尖端構造
４０４  溝部
４０５  半円構造
４０６  溝部
５０１  溝部
５０２  壁部
５０３  飛散防止部
５０４  溝部
５０５  壁部
５０６  飛散防止部
５０７  溝部
５０８  開口部
５０９  上下方向
【図１】
2008084436.tif 000003
【図２】
2008084436.tif 000004
【図３】
2008084436.tif 000005
【図４】
2008084436.tif 000006
【図５】
2008084436.tif 000007